(57)【要約】  決済システム及び方法を開示する。一例では、方法は、（ｉ）モバイルデバイスが、媒体上に配置されて識別子を符号化するコードを捕捉する段階、（ｉｉ）モバイルデバイスが、識別子を回復するために捕捉コードを復号する段階、（ｉｉｉ）モバイルデバイスが、通信ネットワーク（１１６）を通じて回復識別子をサーバに送信する段階、（ｉｖ）モバイルデバイスが、少なくとも第１の時間と第１の時間の後である第２の時間との間の期間の関数であって送信された識別子に関連付けられた料金を通信ネットワーク（１１６）を通じてサーバから受け取る段階、及び（ｖ）モバイルデバイスが、受け取った料金を決済する承認を送信する段階を伴っている。【選択図】      図１
2016503535.tif 000002
【特許請求の範囲】
【請求項１】
モバイルデバイス（１０６）が、媒体上に配置されて識別子を符号化するコードを捕捉する段階と、
前記モバイルデバイス（１０６）が、前記識別子を回復するために前記捕捉したコードを復号する段階と、
前記モバイルデバイス（１０６）が、通信ネットワーク（１１６）を通じて前記回復識別子をサーバ（１０２）に送信する段階と、
前記モバイルデバイス（１０６）が、少なくとも第１の時間と該第１の時間の後である第２の時間との間の期間の関数であって前記送信された識別子に関連付けられた料金を前記通信ネットワーク（１１６）を通じて前記サーバ（１０２）から受け取る段階と、
前記モバイルデバイス（１０６）が、前記受け取った料金を決済する承認を送信する段階と、
を含むことを特徴とする方法。
【請求項２】
前記媒体は、紙券を含むことを特徴とする請求項１に記載の方法。
【請求項３】
前記コードは、１次元コードを含むことを特徴とする請求項１又は請求項２に記載の方法。
【請求項４】
前記コードは、２次元マトリックスコードを含むことを特徴とする請求項１から請求項３のいずれか１項に記載の方法。
【請求項５】
前記コードは、「クイックレスポンス（ＱＲ）」コード（２００）を含むことを特徴とする請求項４に記載の方法。
【請求項６】
前記識別子は、駐車場に関連付けられた駐車セッションの固有の識別子を含み、
前記料金は、前記駐車セッションに対する料金を含む、
ことを特徴とする請求項１から請求項５のいずれか１項に記載の方法。
【請求項７】
前記モバイルデバイス（１０６）が前記コードを捕捉する段階は、該モバイルデバイス（１０６）のカメラ（１５６）が該コードを捕捉する段階を含むことを特徴とする請求項１から請求項６のいずれか１項に記載の方法。
【請求項８】
前記モバイルデバイス（１０６）が前記コードを捕捉する段階は、該モバイルデバイス（１０６）が該コードを走査する段階を含むことを特徴とする請求項１から請求項７のいずれか１項に記載の方法。
【請求項９】
前記通信ネットワーク（１１６）は、ローカルエリアネットワークを含むことを特徴とする請求項１から請求項８のいずれか１項に記載の方法。
【請求項１０】
前記通信ネットワーク（１１６）は、ワイドエリアネットワークを含むことを特徴とする請求項１から請求項９のいずれか１項に記載の方法。
【請求項１１】
前記ワイドエリアネットワークは、「ワールドワイドウェブ」を含むことを特徴とする請求項１０に記載の方法。
【請求項１２】
前記ワイドエリアネットワークは、「インターネット」を含むことを特徴とする請求項１０に記載の方法。
【請求項１３】
前記コードは、更に、前記第１の時間を符号化し、
方法が、
前記モバイルデバイス（１０６）が、前記第１の時間を回復するために前記コードを復号する段階と、
前記モバイルデバイス（１０６）が、前記通信ネットワーク（１１６）を通じて前記第１の時間を前記サーバ（１０２）に送信する段階と、
を更に含む、
ことを特徴とする請求項１から請求項１２のいずれか１項に記載の方法。
【請求項１４】
前記第１の時間は、前記媒体が分配機端末（１０４）から分配された時間に近いことを特徴とする請求項１から請求項１３のいずれか１項に記載の方法。
【請求項１５】
前記第２の時間は、前記モバイルデバイス（１０６）が前記通信ネットワーク（１１６）を通じて前記回復識別子を前記サーバ（１０２）に送信する時間に近いことを特徴とする請求項１から請求項１４のいずれか１項に記載の方法。
【請求項１６】
前記モバイルデバイス（１０６）が、前記受け取った料金を表示する段階、
を更に含むことを特徴とする請求項１から請求項１５のいずれか１項に記載の方法。
【請求項１７】
前記モバイルデバイス（１０６）が、前記受け取った料金の決済を容易にする決済データを前記通信ネットワーク（１１６）を通じて前記サーバに（１０２）に送信する段階、
を更に含むことを特徴とする請求項１から請求項１６のいずれか１項に記載の方法。
【請求項１８】
前記識別子は、第１の識別子であり、
方法が、
前記モバイルデバイス（１０６）が、前記通信ネットワーク（１１６）を通じて第２の識別子を前記サーバ（１０２）に送信する段階と、
前記モバイルデバイス（１０６）が、前記第２の識別子に関連付けられて前記受け取った料金の決済を容易にする決済データを選択する段階と
を更に含む、
ことを特徴とする請求項１から請求項１６のいずれか１項に記載の方法。
【請求項１９】
前記決済データは、クレジットカード番号、デビットカード番号、カード所有者名、カード有効期限、カード検証コード、個人識別番号、及び該カード所有者に関連付けられたメールコードのうちの少なくとも１つの少なくとも一部分を含むことを特徴とする請求項１７又は請求項１８に記載の方法。
【請求項２０】
前記モバイルデバイス（１０６）が、前記料金が決済されたという表示を前記サーバ（１０２）から受け取る段階と、
前記料金が決済されたという前記表示を前記モバイルデバイス（１０６）が受け取る段階に応答して、該モバイルデバイス（１０６）が、該料金が決済されたという表示を表示する段階と、
を更に含むことを特徴とする請求項１から請求項１９のいずれか１項に記載の方法。
【請求項２１】
前記媒体上に表示された前記コードを出庫端末に提供する段階、
を更に含むことを特徴とする請求項１から請求項２０のいずれか１項に記載の方法。
【請求項２２】
前記モバイルデバイス（１０６）が、前記捕捉コードを表示する段階と、
前記媒体上に表示された前記コードを捕捉デバイスに提供する段階と、
を更に含むことを特徴とする請求項１から請求項２１のいずれか１項に記載の方法。
【請求項２３】
前記モバイルデバイス（１０６）が、前記捕捉コードが特定の特性を有すると決定する段階と、
前記モバイルデバイス（１０６）が、前記捕捉コードが前記特定の特性を有すると決定する段階に応答して、該モバイルデバイス（１０６）が、前記受け取った料金の決済を容易にするアプリケーションを起動する段階と、
を更に含むことを特徴とする請求項１から請求項２１のいずれか１項に記載の方法。
【請求項２４】
請求項１から請求項２３のいずれか１項に記載の機能を実行するように構成されたモバイルデバイス（１０６）。
【請求項２５】
プロセッサ（１５０）によって実行された時に請求項１から請求項２３のいずれか１項に記載の機能の実行を引き起こすプログラム命令（１６２）が格納された持続性コンピュータ可読媒体。
【請求項２６】
サーバ（１０２）が、通信ネットワーク（１１６）を通じて識別子をモバイルデバイス（１０６）から受け取る段階と、
前記サーバ（１０２）が前記識別子を受け取る段階に応答して、該サーバ（１０２）が、少なくとも第１の時間と第２の時間の間の期間の関数であって該識別子に関連付けられた料金を決定する段階と、
前記サーバ（１０２）が、前記決定料金を前記通信ネットワーク（１１６）を通じて前記モバイルデバイス（１０６）に送信する段階と、
前記サーバ（１０２）が、前記決定料金を決済する承認を前記通信ネットワーク（１１６）を通じて前記モバイルデバイス（１０６）から受け取る段階と、
前記サーバ（１０２）が、前記決定料金が決済されたと決定する段階と、
前記サーバ（１０２）が、前記決定料金が決済されたと決定する段階に応答して、該サーバ（１０２）が、該決定料金が決済されたという表示を送信する段階と、
を含むことを特徴とする方法。
【請求項２７】
前記識別子は、駐車場に関連付けられた駐車セッションの固有の識別子を含み、
前記料金は、前記駐車セッションに対する料金を含む、
ことを特徴とする請求項２６に記載の方法。
【請求項２８】
前記通信ネットワーク（１１６）は、ローカルエリアネットワークを含むことを特徴とする請求項２６又は請求項２７に記載の方法。
【請求項２９】
前記通信ネットワーク（１１６）は、ワイドエリアネットワークを含むことを特徴とする請求項２６から請求項２８のいずれか１項に記載の方法。
【請求項３０】
前記ワイドエリアネットワークは、「ワールドワイドウェブ」を含むことを特徴とする請求項２９に記載の方法。
【請求項３１】
前記ワイドエリアネットワークは、「インターネット」を含むことを特徴とする請求項２９に記載の方法。
【請求項３２】
前記サーバ（１０２）が、前記通信ネットワーク（１１６）を通じて前記第１の時間を前記モバイルデバイス（１０６）から受け取る段階、
を更に含むことを特徴とする請求項２６から請求項３１のいずれか１項に記載の方法。
【請求項３３】
前記第１の時間は、媒体が分配デバイスから分配された時間に近く、
コードが、前記媒体上に配置されており、
前記コードは、前記識別子を符号化する、
ことを特徴とする請求項２６から請求項３２のいずれか１項に記載の方法。
【請求項３４】
前記サーバ（１０２）が、前記第１の時間を前記分配機端末から受け取る段階、
を更に含むことを特徴とする請求項３３に記載の方法。
【請求項３５】
前記第２の時間は、前記サーバ（１０２）が前記通信ネットワーク（１１６）を通じて前記識別子を前記モバイルデバイス（１０６）から受け取る時間に近いことを特徴とする請求項２６から請求項３４のいずれか１項に記載の方法。
【請求項３６】
前記サーバ（１０２）が、前記決定料金の決済を容易にする決済データを前記通信ネットワーク（１１６）を通じて前記モバイルデバイス（１０６）から受け取る段階と、
前記サーバ（１０２）が、前記決済データを使用して前記決定料金を決済させる段階と、
を更に含むことを特徴とする請求項２６から請求項３５のいずれか１項に記載の方法。
【請求項３７】
前記識別子は、第１の識別子であり、
方法が、
前記サーバ（１０２）が、前記通信ネットワーク（１１６）を通じて第２の識別子を前記モバイルデバイス（１０６）から受け取る段階と、
前記サーバ（１０２）が、前記第２の識別子に関連付けられた決済データを使用して前記決定料金を決済させる段階と、
を更に含む、
ことを特徴とする請求項２６から請求項３５のいずれか１項に記載の方法。
【請求項３８】
前記サーバ（１０２）が、前記料金が決済されたという表示を前記通信ネットワーク（１１６）を通じて前記モバイルデバイス（１０６）に送信する段階、
を更に含むことを特徴とする請求項２６から請求項３７のいずれか１項に記載の方法。
【請求項３９】
前記サーバ（１０２）が、前記料金が決済されたという表示を出庫端末（１０８）に送信する段階、
を更に含み、
前記出庫端末（１０８）は、（ｉ）前記料金が決済されたという前記表示を前記サーバ（１０２）から受け取り、かつ（ｉｉ）該料金が決済されたという該表示を該サーバ（１０２）から受け取ることに応答してアクションを実行させるように構成される、
ことを特徴とする請求項２６から請求項３８のいずれか１項に記載の方法。
【請求項４０】
前記アクションを実行させることは、該アクションを実行させて車両が駐車場を出ることを許すことを含むことを特徴とする請求項３９に記載の方法。
【請求項４１】
前記アクションを実行させることは、前記駐車場内のアクセス制御デバイスを移動させることを含むことを特徴とする請求項４０に記載の方法。
【請求項４２】
請求項２４から請求項４１のいずれか１項に記載の機能を実行するように構成されたサーバ（１０２）。
【請求項４３】
プロセッサ（１８２）によって実行された時に請求項２４から請求項４１のいずれか１項に記載の機能の実行を引き起こすプログラム命令（１９２）が格納された持続性コンピュータ可読媒体。
【請求項４４】
モバイルデバイス（１０６）が、媒体上に配置されて識別子を符号化するコードを捕捉する段階と、
前記モバイルデバイス（１０６）が、前記識別子を回復するために前記捕捉したコードを復号する段階と、
前記モバイルデバイス（１０６）が、通信ネットワーク（１１６）を通じて前記回復識別子をサーバ（１０２）に送信する段階と、
前記モバイルデバイス（１０６）が、少なくとも第１の位置と該第１の位置とは異なる第２の位置との間の距離の関数であって前記送信された識別子に関連付けられた料金を前記通信ネットワーク（１１６）を通じて前記サーバ（１０２）から受け取る段階と、
前記モバイルデバイス（１０６）が、前記受け取った料金を決済する承認を送信する段階と、
を含むことを特徴とする方法。
【請求項４５】
前記媒体は、紙券を含むことを特徴とする請求項４４に記載の方法。
【請求項４６】
前記コードは、１次元コードを含むことを特徴とする請求項４４又は請求項４５に記載の方法。
【請求項４７】
前記コードは、２次元マトリックスコードを含むことを特徴とする請求項４４から請求項４６のいずれか１項に記載の方法。
【請求項４８】
前記コードは、「クイックレスポンス（ＱＲ）」コード（２００）を含むことを特徴とする請求項４７に記載の方法。
【請求項４９】
前記識別子は、有料道路に関連付けられた旅行セッションの固有の識別子を含み、
前記料金は、前記旅行セッションに対する料金を含む、
ことを特徴とする請求項４４から請求項４８のいずれか１項に記載の方法。
【請求項５０】
前記モバイルデバイス（１０６）が前記コードを捕捉する段階は、該モバイルデバイス（１０６）のカメラ（１５６）が該コードを捕捉する段階を含むことを特徴とする請求項４４から請求項４９のいずれか１項に記載の方法。
【請求項５１】
前記モバイルデバイス（１０６）が前記コードを捕捉する段階は、該モバイルデバイス（１０６）が該コードを走査する段階を含むことを特徴とする請求項４４から請求項５０のいずれか１項に記載の方法。
【請求項５２】
前記通信ネットワーク（１１６）は、ローカルエリアネットワークを含むことを特徴とする請求項４４から請求項５１のいずれか１項に記載の方法。
【請求項５３】
前記通信ネットワーク（１１６）は、ワイドエリアネットワークを含むことを特徴とする請求項４４から請求項５２のいずれか１項に記載の方法。
【請求項５４】
前記ワイドエリアネットワークは、「ワールドワイドウェブ」を含むことを特徴とする請求項５３に記載の方法。
【請求項５５】
前記ワイドエリアネットワークは、「インターネット」を含むことを特徴とする請求項５３に記載の方法。
【請求項５６】
前記コードは、更に、前記第１の位置を符号化し、
方法が、
前記モバイルデバイス（１０６）が、前記第１の位置を回復するために前記コードを復号する段階と、
前記モバイルデバイス（１０６）が、前記通信ネットワーク（１１６）を通じて前記第１の位置を前記サーバ（１０２）に送信する段階と、
を更に含む、
ことを特徴とする請求項４４から請求項５５のいずれか１項に記載の方法。
【請求項５７】
前記第１の位置は、前記媒体が分配機端末（１０４）から分配された時の位置に近いことを特徴とする請求項４４から請求項５６のいずれか１項に記載の方法。
【請求項５８】
前記第２の位置は、前記モバイルデバイス（１０６）が前記通信ネットワーク（１１６）を通じて前記回復識別子を前記サーバ（１０２）に送信する時の位置に近いことを特徴とする請求項４４から請求項５７のいずれか１項に記載の方法。
【請求項５９】
前記モバイルデバイス（１０６）が、前記受け取った料金を表示する段階、
を更に含むことを特徴とする請求項４４から請求項５８のいずれか１項に記載の方法。
【請求項６０】
前記モバイルデバイス（１０６）が、前記受け取った料金の決済を容易にする決済データを前記通信ネットワーク（１１６）を通じて前記サーバに（１０２）に送信する段階、
を更に含むことを特徴とする請求項４４ら請求項５９のいずれか１項に記載の方法。
【請求項６１】
前記識別子は、第１の識別子であり、
方法が、
前記モバイルデバイス（１０６）が、前記通信ネットワーク（１１６）を通じて第２の識別子を前記サーバ（１０２）に送信する段階と、
前記モバイルデバイス（１０６）が、前記第２の識別子に関連付けられて前記受け取った料金の決済を容易にする決済データを選択する段階と
を更に含む、
ことを特徴とする請求項４４から請求項５９のいずれか１項に記載の方法。
【請求項６２】
前記決済データは、クレジットカード番号、デビットカード番号、カード所有者名、カード有効期限、カード検証コード、個人識別番号、及び該カード所有者に関連付けられたメールコードのうちの少なくとも１つの少なくとも一部分を含むことを特徴とする請求項６０又は請求項６１に記載の方法。
【請求項６３】
前記モバイルデバイス（１０６）が、前記料金が決済されたという表示を前記サーバ（１０２）から受け取る段階と、
前記料金が決済されたという前記表示を前記モバイルデバイス（１０６）が受け取る段階に応答して、該モバイルデバイス（１０６）が、該料金が決済されたという表示を表示する段階と、
を更に含むことを特徴とする請求項４４から請求項６２のいずれか１項に記載の方法。
【請求項６４】
前記媒体上に表示された前記コードを出庫端末に提供する段階、
を更に含むことを特徴とする請求項４４から請求項６３のいずれか１項に記載の方法。
【請求項６５】
前記モバイルデバイス（１０６）が、前記捕捉コードを表示する段階と、
前記媒体上に表示された前記コードを捕捉デバイスに提供する段階と、
を更に含むことを特徴とする請求項４４から請求項６４のいずれか１項に記載の方法。
【請求項６６】
前記モバイルデバイス（１０６）が、前記捕捉コードが特定の特性を有すると決定する段階と、
前記モバイルデバイス（１０６）が、前記捕捉コードが前記特定の特性を有すると決定する段階に応答して、該モバイルデバイス（１０６）が、前記受け取った料金の決済を容易にするアプリケーションを起動する段階と、
を更に含むことを特徴とする請求項４４から請求項６５のいずれか１項に記載の方法。
【請求項６７】
請求項４４から請求項６６のいずれか１項に記載の機能を実行するように構成されたモバイルデバイス（１０６）。
【請求項６８】
プロセッサ（１５０）によって実行された時に請求項１から請求項２３のいずれか１項に記載の機能の実行を引き起こすプログラム命令（１６２）が格納された持続性コンピュータ可読媒体。
【請求項６９】
サーバ（１０２）が、通信ネットワーク（１１６）を通じて識別子をモバイルデバイス（１０６）から受け取る段階と、
前記サーバ（１０２）が前記識別子を受け取る段階に応答して、該サーバ（１０２）が、少なくとも第１の位置と該第１の位置とは異なる第２の位置との間の距離の関数であって該識別子に関連付けられた料金を決定する段階と、
前記サーバ（１０２）が、前記決定料金を前記通信ネットワーク（１１６）を通じて前記モバイルデバイス（１０６）に送信する段階と、
前記サーバ（１０２）が、前記決定料金を決済する承認を前記通信ネットワーク（１１６）を通じて前記モバイルデバイス（１０６）から受け取る段階と、
前記サーバ（１０２）が、前記決定料金が決済されたと決定する段階と、
前記サーバ（１０２）が、前記決定料金が決済されたと決定する段階に応答して、該サーバ（１０２）が、該決定料金が決済されたという表示を送信する段階と、
を含むことを特徴とする方法。
【請求項７０】
前記識別子は、有料道路に関連付けられた旅行セッションの固有の識別子を含み、
前記料金は、前記旅行セッションに対する料金を含む、
ことを特徴とする請求項６９に記載の方法。
【請求項７１】
前記通信ネットワーク（１１６）は、ローカルエリアネットワークを含むことを特徴とする請求項６９又は請求項７０に記載の方法。
【請求項７２】
前記通信ネットワーク（１１６）は、ワイドエリアネットワークを含むことを特徴とする請求項６９から請求項７１のいずれか１項に記載の方法。
【請求項７３】
前記ワイドエリアネットワークは、「ワールドワイドウェブ」を含むことを特徴とする請求項７２に記載の方法。
【請求項７４】
前記ワイドエリアネットワークは、「インターネット」を含むことを特徴とする請求項７２に記載の方法。
【請求項７５】
前記サーバ（１０２）が、前記通信ネットワーク（１１６）を通じて前記第１の位置を前記モバイルデバイス（１０６）から受け取る段階、
を更に含むことを特徴とする請求項６９から請求項７４のいずれか１項に記載の方法。
【請求項７６】
前記第１の位置は、媒体が分配デバイスから分配された時の位置に近く、
コードが、前記媒体上に配置されており、
前記コードは、前記識別子を符号化する、
ことを特徴とする請求項６９から請求項７５のいずれか１項に記載の方法。
【請求項７７】
前記サーバ（１０２）が、前記第１の位置を前記分配機端末から受け取る段階、
を更に含むことを特徴とする請求項７６に記載の方法。
【請求項７８】
前記サーバ（１０２）が、前記決定料金の決済を容易にする決済データを前記通信ネットワーク（１１６）を通じて前記モバイルデバイス（１０６）から受け取る段階と、
前記サーバ（１０２）が、前記決済データを使用して前記決定料金を決済させる段階と、
を更に含むことを特徴とする請求項６９から請求項７６のいずれか１項に記載の方法。
【請求項７９】
前記識別子は、第１の識別子であり、
方法が、
前記サーバ（１０２）が、前記通信ネットワーク（１１６）を通じて第２の識別子を前記モバイルデバイス（１０６）から受け取る段階と、
前記サーバ（１０２）が、前記第２の識別子に関連付けられた決済データを使用して前記決定料金を決済させる段階と、
を更に含む、
ことを特徴とする請求項６９から請求項７８のいずれか１項に記載の方法。
【請求項８０】
前記サーバ（１０２）が、前記料金が決済されたという表示を前記通信ネットワーク（１１６）を通じて前記モバイルデバイス（１０６）に送信する段階、
を更に含むことを特徴とする請求項６９から請求項７９のいずれか１項に記載の方法。
【請求項８１】
前記サーバ（１０２）が、前記料金が決済されたという表示を出庫端末（１０８）に送信する段階、
を更に含み、
前記出庫端末（１０８）は、（ｉ）前記料金が決済されたという前記表示を前記サーバ（１０２）から受け取り、かつ（ｉｉ）該料金が決済されたという該表示を該サーバ（１０２）から受け取ることに応答してアクションを実行させるように構成される、
ことを特徴とする請求項６９から請求項８０のいずれか１項に記載の方法。
【請求項８２】
前記アクションを実行させることは、該アクションを実行させて車両が料金所を出ることを許すことを含むことを特徴とする請求項８１に記載の方法。
【請求項８３】
前記アクションを実行させることは、前記料金所内のアクセス制御デバイスを移動させることを含むことを特徴とする請求項８２に記載の方法。
【請求項８４】
請求項６９から請求項８３のいずれか１項に記載の機能を実行するように構成されたサーバ（１０２）。
【請求項８５】
プロセッサ（１８２）によって実行された時に請求項６９から請求項８３のいずれか１項に記載の機能の実行を引き起こすプログラム命令（１９２）が格納された持続性コンピュータ可読媒体。
【請求項８６】
モバイルデバイス（１０６）であって、
プロセッサ（１５０）と、
コードを捕捉するように構成された捕捉デバイス（１５６）と、
前記モバイルデバイス（１０６）とサーバ（１０２）の間の通信を容易にするように構成されたネットワークインタフェース（１５２）と、
前記プロセッサ（１５０）によって実行された時に請求項１から請求項２３又は請求項４４から請求項６６のいずれか１項に記載の機能の実行を引き起こすプログラム命令（１６２）が格納された持続性コンピュータ可読媒体と、
を含むことを特徴とするモバイルデバイス（１０６）。
【請求項８７】
サーバ（１０２）であって、
プロセッサ（１５０）と、
前記サーバ（１０２）と別のデバイスの間の通信を容易にするように構成されたネットワークインタフェース（１８４）と、
前記プロセッサ（１８２）によって実行された時に請求項２６から請求項４１又は請求項６９から請求項８３のいずれか１項に記載の機能の実行を引き起こすプログラム命令（１９２）が格納された持続性コンピュータ可読媒体と、
を含むことを特徴とするサーバ（１０２）。
【発明の詳細な説明】
【技術分野】
【０００１】
〔優先権の主張〕
本出願は、２０１２年１１月１２日出願のＰＣＴ出願番号ＰＣＴ／ＧＢ２０１２／０５２８０２、２０１２年１１月１２日出願のＰＣＴ出願番号ＰＣＴ／ＧＢ２０１２／０５２８０４、及び２０１２年１１月１２日出願のＰＣＴ出願番号ＰＣＴ／ＧＢ２０１２／０５２８０５の利益を主張するものであり、これらの全ては、引用によってその全体が本明細書に組み込まれている。
【背景技術】
【０００２】
本明細書で別途断らない限り、本節に説明する要素は、特許請求の範囲に対する従来技術ではなく、かつ本節に含めることにより従来技術であることを認めるものではない。
【０００３】
駐車場（例えば、パーキングビル）は、自動車が駐車することができる区域である。一部の事例では、駐車場は、料金の決済と引き換えに自動車を駐車場に駐車するのを許すことができるような有料である場合がある。典型的に、この料金は、車両が駐車場に駐車される期間に基づくものである。
【０００４】
有料駐車場への自動車の入庫時に、車両のドライバは、入庫端末からタイムスタンプ付きチケットを受け取ることができる。ドライバが駐車場を車両と共に去る前に、ドライバは、料金（例えば、ドライバがチケットを受け取ってから経過した時間量に基づく）を決定することができる決済端末にチケットを挿入することを要求される場合がある。ドライバは、次に、現金か又はクレジットカード又はデビットカードのような決済手段を決済端末内に与えることによって料金を決済することができる。決済端末は、次に、チケットを検証してそれをドライバに戻すことができる。駐車場を出るために、ドライバは、出庫端末まで運転して検証されたチケットを出庫端末に挿入することができる。出庫端末は、チケットが検証済みであることを確認することができ、これに応答して、出庫端末は、ドライバの車両が駐車場を出ることを可能にするようにブームを上げることができる。
【０００５】
駐車場に対する料金を決済するこの処理は、不便である可能性があり、安全及び健康上の懸念を呈する可能性がある。一部の配置では、決済端末は、駐車場への歩行者入口に又はその近くに位置付けられる場合がある。このような配置では、決済端末での待ち行列は、特にピーク時に長くなる場合があり、従って、遅延を引き起こし、ドライバの焦燥及び落胆をもたらす。更に、決済端末は、作動休止中である場合があり、又は正しいつり銭を提供するには現金が不十分である場合があり、それによってこれらの問題を更に悪化する。これに加えて、ドライバが公共の環境で現金又は決済手段を取り扱う必要性は、安全上の懸念を引き起こす場合がある。
【０００６】
代替配置では、決済端末は、出庫端末と一体化される場合があり、これは、ドライバが駐車場を出る直前に車両に座ったままで料金を決済することを可能にすることができる。しかし、このような配置は、決済／出庫端末に到達するために待機中の車両の長い待ち行列をもたらす可能性がある。これに加えて、車両の長い待ち行列は、比較的狭い区域に高レベルの排気ガスを引き起こす可能性があり、これは、健康上の理由から望ましくないと考えられる。
【発明の概要】
【発明が解決しようとする課題】
【０００７】
従って、駐車場料金（又は別のタイプの料金）が決済される処理を改良することが望ましい。
【課題を解決するための手段】
【０００８】
例示的実施形態を本明細書に説明する。１つの点では、例示的実施形態は、（ｉ）モバイルデバイスが、媒体上に配置されて識別子を符号化するコードを捕捉する段階と、（ｉｉ）モバイルデバイスが、識別子を回復するために捕捉コードを復号する段階と、（ｉｉｉ）モバイルデバイスが、通信ネットワークを通じて回復識別子をサーバに送信する段階と、（ｉｖ）モバイルデバイスが、少なくとも第１の時間と第１の時間の後である第２の時間との間の期間の関数であって送信された識別子に関連付けられた料金を通信ネットワークを通じてサーバから受け取る段階と、（ｖ）モバイルデバイスが、受け取った料金を決済する承認を送信する段階とを含む方法の形態を取る。
【０００９】
別の点では、例示的実施形態は、モバイルデバイスの形態を取る。モバイルデバイスは、（ｉ）媒体上に配置されて識別子を符号化するコードを捕捉し、（ｉｉ）識別子を回復するために捕捉コードを復号し、（ｉｉｉ）通信ネットワークを通じて回復識別子をサーバに送信し、（ｉｖ）少なくとも第１の時間と第１の時間の後である第２の時間との間の期間の関数であって送信された識別子に関連付けられた料金を通信ネットワークを通じてサーバから受け取り、かつ（ｖ）受け取った料金を決済する承認を送信するように構成される。
【００１０】
別の点では、例示的実施形態は、プロセッサによって実行された時に（ｉ）モバイルデバイスが、媒体上に配置されて識別子を符号化するコードを捕捉する段階と、（ｉｉ）モバイルデバイスが、識別子を回復するために捕捉コードを復号する段階と、（ｉｉｉ）モバイルデバイスが、通信ネットワークを通じて回復識別子をサーバに送信する段階と、（ｉｖ）モバイルデバイスが、少なくとも第１の時間と第１の時間の後である第２の時間との間の期間の関数であって送信された識別子に関連付けられた料金を通信ネットワークを通じてサーバから受け取る段階と、（ｖ）モバイルデバイスが、受け取った料金を決済する承認を送信する段階とを含む１組の機能の実行を引き起こすプログラム命令が格納された持続性コンピュータ可読媒体の形態を取る。
【００１１】
別の点では、例示的実施形態は、（ｉ）サーバが、通信ネットワークを通じてモバイルデバイスから識別子を受け取る段階と、（ｉｉ）サーバが識別子を受け取る段階に応答して、サーバが、少なくとも第１の時間と第１の時間の後である第２の時間との間の期間の関数であって識別子に関連付けられた料金を決定する段階と、（ｉｉｉ）サーバが、通信ネットワークを通じてモバイルデバイスに決定料金を送信する段階と、（ｉｖ）サーバが、決定料金を決済する承認を通信ネットワークを通じてモバイルデバイスから受け取る段階と、（ｖ）サーバが、決定料金が決済されたと決定する段階と、（ｖｉ）サーバが決定料金が決済されたと決定することに応答して、サーバが、決定料金が決済されたという表示を送信する段階とを含む方法の形態を取る。
【００１２】
別の点では、例示的実施形態は、サーバの形態を取る。サーバは、（ｉ）通信ネットワークを通じてモバイルデバイスから識別子を受け取り、（ｉｉ）識別子を受け取ることに応答して、少なくとも第１の時間と第１の時間の後である第２の時間との間の期間の関数であって識別子に関連付けられた料金を決定し、（ｉｉｉ）決定料金を通信ネットワークを通じてモバイルデバイスに送信し、（ｉｖ）決定料金を決済する承認を通信ネットワークを通じてモバイルデバイスから受け取り、（ｖ）決定料金が決済されたと決定し、かつ（ｖｉ）決定料金が決済されたと決定することに応答して、決定料金が決済されたという表示を送信するように構成される。
【００１３】
別の点では、例示的実施形態は、プロセッサによって実行された時に（ｉ）サーバが、通信ネットワークを通じてモバイルデバイスから識別子を受け取る段階と、（ｉｉ）サーバが識別子を受け取る段階に応答して、サーバが、少なくとも第１の時間と第１の時間の後である第２の時間との間の期間の関数であって識別子に関連付けられた料金を決定する段階と、（ｉｉｉ）サーバが、通信ネットワークを通じてモバイルデバイスに決定料金を送信する段階と、（ｉｖ）サーバが、決定料金を決済する承認を通信ネットワークを通じてモバイルデバイスから受け取る段階と、（ｖ）サーバが、決定料金が決済されたと決定する段階と、（ｖｉ）サーバが決定料金が決済されたと決定することに応答して、サーバが、決定料金が決済されたという表示を送信する段階とを含む１組の機能の実行を引き起こすプログラム命令が格納された持続性コンピュータ可読媒体の形態を取る。
【００１４】
別の点では、例示的実施形態は、（ｉ）モバイルデバイスが、媒体上に配置されて識別子を符号化するコードを捕捉する段階と、（ｉｉ）モバイルデバイスが、識別子を回復するために捕捉コードを復号する段階と、（ｉｉｉ）モバイルデバイスが、通信ネットワークを通じて回復識別子をサーバに送信する段階と、（ｉｖ）モバイルデバイスが、少なくとも第１の位置と第１の位置とは異なる第２の位置との間の距離の関数であって送信された識別子に関連付けられた料金を通信ネットワークを通じてサーバから受け取る段階と、（ｖ）モバイルデバイスが、受け取った料金を決済する承認を送信する段階とを含む方法の形態を取る。
【００１５】
別の点では、例示的実施形態は、モバイルデバイスの形態を取る。モバイルデバイスは、（ｉ）媒体上に配置されて識別子を符号化するコードを捕捉し、（ｉｉ）識別子を回復するために捕捉コードを復号し、（ｉｉｉ）通信ネットワークを通じて回復識別子をサーバに送信し、（ｉｖ）少なくとも第１の位置と第１の位置とは異なる第２の位置との間の距離の関数であって送信された識別子に関連付けられた料金を通信ネットワークを通じてサーバから受け取り、かつ（ｖ）受け取った料金を決済する承認を送信するように構成される。
【００１６】
別の点では、例示的実施形態は、プロセッサによって実行された時に（ｉ）モバイルデバイスが、媒体上に配置されて識別子を符号化するコードを捕捉する段階と、（ｉｉ）モバイルデバイスが、識別子を回復するために捕捉コードを復号する段階と、（ｉｉｉ）モバイルデバイスが、通信ネットワークを通じて回復識別子をサーバに送信する段階と、（ｉｖ）モバイルデバイスが、少なくとも第１の位置と第１の位置とは異なる第２の位置との間の距離の関数であって送信された識別子に関連付けられた料金を通信ネットワークを通じてサーバから受け取る段階と、（ｖ）モバイルデバイスが、受け取った料金を決済する承認を送信する段階とを含む１組の機能の実行を引き起こすプログラム命令が格納された持続性コンピュータ可読媒体の形態を取る。
【００１７】
別の点では、例示的実施形態は、（ｉ）サーバが、通信ネットワークを通じてモバイルデバイスから識別子を受け取る段階と、（ｉｉ）サーバが識別子を受け取る段階に応答して、サーバが、少なくとも第１の位置と第１の位置とは異なる第２の位置との間の距離の関数であって識別子に関連付けられた料金を決定する段階と、（ｉｉｉ）サーバが、通信ネットワークを通じてモバイルデバイスに決定料金を送信する段階と、（ｉｖ）サーバが、決定料金を決済する承認を通信ネットワークを通じてモバイルデバイスから受け取る段階と、（ｖ）サーバが、決定料金が決済されたと決定する段階と、（ｖｉ）サーバが決定料金が決済されたと決定することに応答して、サーバが、決定料金が決済されたという表示を送信する段階とを含む方法の形態を取る。
【００１８】
別の点では、例示的実施形態は、サーバの形態を取る。サーバは、（ｉ）通信ネットワークを通じてモバイルデバイスから識別子を受け取り、（ｉｉ）識別子を受け取ることに応答して、少なくとも第１の位置と第１の位置とは異なる第２の位置との間の距離の関数であって識別子に関連付けられた料金を決定し、（ｉｉｉ）決定料金を通信ネットワークを通じてモバイルデバイスに送信し、（ｉｖ）決定料金を決済する承認を通信ネットワークを通じてモバイルデバイスから受け取り、（ｖ）決定料金が決済されたと決定し、かつ（ｖｉ）決定料金が決済されたと決定することに応答して、決定料金が決済されたという表示を送信するように構成される。
【００１９】
別の点では、例示的実施形態は、プロセッサによって実行された時に（ｉ）サーバが、通信ネットワークを通じてモバイルデバイスから識別子を受け取る段階と、（ｉｉ）サーバが識別子を受け取る段階に応答して、サーバが、少なくとも第１の位置と第１の位置とは異なる第２の位置との間の距離の関数であって識別子に関連付けられた料金を決定する段階と、（ｉｉｉ）サーバが、通信ネットワークを通じてモバイルデバイスに決定料金を送信する段階と、（ｉｖ）サーバが、決定料金を決済する承認を通信ネットワークを通じてモバイルデバイスから受け取る段階と、（ｖ）サーバが、決定料金が決済されたと決定する段階と、（ｖｉ）サーバが決定料金が決済されたと決定することに応答して、サーバが、決定料金が決済されたという表示を送信する段階とを含む１組の機能の実行を引き起こすプログラム命令が格納された持続性コンピュータ可読媒体の形態を取る。
【００２０】
別の点では、例示的実施形態は、（ｉ）モバイルデバイスを使用して、パーキングビルを使用するための駐車チケットを識別する固有チケットコードを符号化するクイックレスポンス（ＱＲ）コードを走査する段階と、（ｉｉ）モバイルデバイスを使用して、固有チケットコードを回復するためにＱＲコード（登録商標）を復号する段階と、（ｉｉｉ）固有チケットコードをモバイルデバイスからアプリケーションサーバに送信する段階と、（ｉｖ）モバイルデバイスにおいて、パーキングビルを使用するための駐車料金を受け取り、駐車料金をモバイルデバイス上に表示する段階と、（ｖ）モバイルデバイスを使用して、駐車料金を決済するための決済手段を選択し、決済に対して駐車料金を承認する段階と、（ｖｉ）決済手段に関連するデータをモバイルデバイスからアプリケーションサーバに送信する段階と、（ｖｉｉ）アプリケーションサーバからモバイルデバイスにおいて、駐車料金の決済が成功又は不成功であったか否かを示すステータスデータを受け取る段階とを含む方法の形態を取る。
【００２１】
別の点では、例示的実施形態は、（ｉ）プロセッサと、（ｉｉ）パーキングビルを使用するための駐車チケットを識別する固有チケットコードを符号化するクイックレスポンス（ＱＲ）コードを捕捉するように構成されたカメラと、（ｉｉｉ）ＱＲコード（登録商標）を復号するようにプロセッサによって実行可能であるコンピュータ可読プログラム命令を含む持続性コンピュータ可読データストレージデバイスと、（ｉｖ）パーキングビルを使用するための駐車料金を表示し、かつユーザが駐車料金の決済時の試行のための決済手段を選択して決済に対して駐車料金を承認することを可能にするように構成されたユーザインタフェースと、（ｖ）ネットワークインタフェースデバイスとを含み、（ｖｉ）ネットワークインタフェースが、固有チケットコードと決済手段に関連するデータとをアプリケーションサーバに送信するように構成され、（ｖｉｉ）ネットワークインタフェースが、料金の決済時の初期の試行が成功又は不成功であったか否かを示すステータスデータをアプリケーションサーバから受け取るように構成されるモバイルデバイスの形態を取る。
【００２２】
別の点では、例示的実施形態は、（ｉ）モバイルデバイスからアプリケーションサーバにおいて、パーキングビルを使用するための駐車チケットを識別する固有チケットコードを受け取る段階と、（ｉｉ）パーキングビルを使用するための駐車料金をアプリケーションサーバで決定する段階と、（ｉｉｉ）アプリケーションサーバからモバイルデバイスに駐車料金を送信する段階と、（ｉｖ）モバイルデバイスからアプリケーションサーバにおいて、料金の決済時の試行に対して選択された決済手段に関連するデータを受け取る段階と、（ｖ）アプリケーションサーバにおいて、駐車料金に関連するデータと第１の決済手段に関連するデータとの処理が駐車料金の決済の成功又は不成功をもたらしたか否かを決定する段階と、（ｖｉ）駐車料金の決済時の試行が成功又は不成功であったか否かを示すステータスデータをアプリケーションサーバからモバイルデバイスに送信する段階とを含む方法の形態を取る。
【００２３】
別の点では、例示的実施形態は、（ｉ）プロセッサと、（ｉｉ）コンピュータ可読プログラム命令を含む持続性コンピュータ可読データストレージデバイスと、（ｉｉｉ）ネットワークインタフェースとを含み、（ｉｖ）ネットワークインタフェースが、（１）パーキングビルを使用するための駐車チケットを識別する固有チケットコードと（２）パーキングビルを使用するための駐車料金の決済時の試行に対して選択された決済手段に関連するデータとをモバイルデバイスから受け取るように構成され、（ｉｖ）プログラム命令が、駐車料金と決済手段に関連するデータとの処理が駐車料金の決済の成功又は不成功をもたらすか否かを決定するようにプロセッサによって実行可能であり、（ｖ）プログラム命令が、ネットワークインタフェースにステータスデータをモバイルデバイスまで送信させるようにプロセッサによって実行可能であり、（ｖｉ）ステータスデータが、駐車料金の決済時の試行が成功又は不成功であったか否かを示すアプリケーションサーバシステムの形態を取る。
【００２４】
別の点では、例示的実施形態は、（ｉ）パーキングビルにおいて、パーキングビルを使用するための駐車チケットを与える段階と、（ｉｉ）パーキングビルにおいて、駐車チケットを識別する固有チケットコードを符号化するクイックレスポンス（ＱＲ）コードを与える段階とを含む方法の形態を取る。
【００２５】
上記並びに他の態様及び利点は、適切な場合に添付図面を参照して以下の詳細説明を読むことにより当業者には明らかになるであろう。更に、この概要及び他の箇所に説明する実施形態は、単に実施例であるように意図しており、本発明の開示の範囲を制限しないことを理解しなければならない。
【図面の簡単な説明】
【００２６】
【図１】例示的実施形態による料金を決済するためのシステムの概略図である。
【図２】例示的なクイックレスポンス（ＱＲ）コードを示す図である。
【図３】例示的実施形態によるモバイルデバイスのブロック図である。
【図４】例示的実施形態によるアプリケーションサーバのブロック図である。
【図５Ａ】例示的実施形態による方法の機能の流れ図の第１の部分を示す図である。
【図５Ｂ】図５Ａの流れ図の第２の部分を示す図である。
【図５Ｃ】図５Ａの流れ図の第３の部分を示す図である。
【図６】例示的実施形態によるモバイルデバイスのディスプレイを示す図である。
【発明を実施するための形態】
【００２７】
Ｉ．序
この説明では、取りわけ、開示するシステム及び方法の例示的実施形態を説明する。この説明では、用語「ユーザ」及び「ドライバ」は、文脈に基づいて交換可能に使用することができる。冠詞「ａ」又は「ａｎ」は、例示的実施形態の要素を導入するために使用しており、それらの冠詞を使用する意図は、要素の１つ又はそれよりも多くがあるということである。少なくとも２つの用語の説明するリスト内で接続詞「又は」を使用する意図は、説明する用語のいずれか又は説明する用語のあらゆる組合せ示すことである。「第１」、「第２」、及び「第３」等々のような序数の使用は、それらの要素の特定の順番を示すというよりはむしろそれぞれの要素を区別するためである。以下の略語又は頭字語を説明の中で使用する。
ＦＩＧ−図、
ＦＩＧｓ−複数の図、
ＰＩＮ−個人識別番号、
ＱＲ−クイックレスポンス。
【００２８】
ＩＩ．例示的アーキテクチャ
図１は、例示的実施形態による料金を決済するためのシステム１００の概略図である。システム１００の一例示的使用事例を示すために、システム１００は、駐車場に関連して説明する。しかし、以下で更に説明するように、システム１００は、同様に他の環境に関連して使用することができる。
【００２９】
システム１００は、アプリケーションサーバ１０２と、入庫又は分配機端末１０４と、モバイルデバイス１０６と、出庫端末１０８と、決済処理サーバ１１０と、駐車記録データベース１１２とを含む。
【００３０】
分配機端末１０４は、媒体を車両のドライバのようなユーザに分配するように構成することができる。一部の事例では、駐車場に車両が入るのに応答して、分配機端末１０４は、媒体を分配することができる。媒体は、様々な形態を取ることができる。例えば、媒体は、紙券又はトークンの形態を取ることができる。
【００３１】
媒体は、セッション識別子を符号化するコードを配置させることができる。コードは、様々な形態を取ることができる。例えば、コードは、直線バーコードのような１次元コード、又はＱＲコード（登録商標）のような２次元コードの形態を取ることができる。セッション識別子は、特定の駐車セッション、すなわち、駐車場に駐車する車両の与えられたインスタンスを一意的に識別することができる。セッション識別子は、様々な形態を取ることができる。例えば、セッション識別子は、数値又は英数字コードとすることができる。一部の実施形態において、コードはまた、例えば時間又は駐車場識別子を含む他のデータを符号化することができる。
【００３２】
一部の実施形態において、分配機端末１０４は、媒体が分配される時間の近くで（すなわち、その時間に又はその辺りで）コードを媒体に印刷する（又は、他の方法でコードを媒体上に配置させる）ように構成することができる。一例では、事象は、事象及び時間が互いの閾値の秒数以内にある場合は時間に近接する。閾値は、例えば、５秒、１０秒、又は２０秒とすることができる。
【００３３】
他の実施形態において、媒体は、それが分配機端末１０４内に装填される時にコードをすでに配置させている場合がある。分配機端末１０４は、アプリケーションサーバ１０２に作動的に接続することができ、更に、コードに符号化されたセッション識別子及び／又は車両が駐車場に入った時間を一般的に示す時間をアプリケーションサーバ１０２に送信するように構成することができる。本明細書で使用する時に「時間」という用語は、時間及び／又は日付を指す。アプリケーションサーバ１０２は、以下でより詳細に説明するように、受け取ったセッション識別子及び時間を駐車記録データベース１１２に格納するように構成することができる。
【００３４】
出庫デバイス１０８は、駐車場からの車両の出庫を制御するように構成することができ、かつ様々な形態を取ることができるアクセス制御デバイスを含むか又はそれに一体化することができる。一例では、アクセス制御デバイスは、車両が駐車場を出るのを妨げる低い位置と車両が駐車場を出ることを可能にする高い位置との間で移動するように構成されたブーム機構の形態を取ることができる。出庫デバイス１０８は、ブームを上げ下げすることができる。
【００３５】
一部の事例では、同じ制御アクセスデバイスは、駐車場への車両の入庫及び駐車場からの車両の出庫を制御するのに使用することができる。しかし、他の実施形態において、別々の制御アクセスデバイスを各々の目的に使用することができる。出庫端末１０８は、アプリケーションサーバ１０２に作動的に接続することができる。
【００３６】
アプリケーションサーバ１０２、モバイルデバイス１０６、及び決済処理サーバ１１０は、通信ネットワーク１１６によって互いに通信することができる。通信ネットワーク１１６は、様々な形態を取ることができる。例えば、通信ネットワーク１１６は、ローカルエリアネットワーク、又はワールドワイドウェブ又はインターネットのようなワイドエリアネットワークの形態を取ることができる。通信ネットワーク１１６は、有線又は無線インタフェース（例えば、例えばＷｉ−Ｆｉ又はＢｌｕｅｔｏｏｔｈ（登録商標）プロトコルを使用して通信するように構成されたインタフェース）によってサポートすることができる。特に、一部の実施形態において、システム１００内の他のデバイスも、通信ネットワークを通じて互いに通信することができる。あらゆるこのようなデバイス間の通信は、対応するネットワークインタフェースによって容易にすることができる。
【００３７】
アプリケーションサーバ１０２、モバイルデバイス１０６、及び決済処理サーバ１１０間の通信は、アプリケーションサーバ１０２上にインストールされるサーバホスト式プログラム、モバイルデバイス１０６上にインストールかつ実行される決済アプリケーションプログラム（「決済アプリ」）、及び決済処理サーバ１１０上にインストールかつ実行される処理アプリケーションプログラム（「処理アプリ」）を使用することによって容易にすることができる。
【００３８】
ユーザは、ダウンロードリポジトリから、例えば、アプリケーションサーバ１０２（図４）のデータストレージデバイス１８８から決済アプリのコピーをダウンロードし、決済アプリをモバイルデバイス１０６上にインストールすることができる。インストール中又は後に、決済アプリは、ユーザプロファイル１１４をモバイルデバイス１０６上で生成し、ユーザの名、ユーザの姓、電子メールアドレス、物理アドレスのようなある一定の属性、及びクレジットカード、デビットカード、電子財布のような１つ又はそれよりも多くの決済手段の詳細を手動で提供するようにユーザに促すことができる。少なくとも一部の例示的実施形態により、ユーザプロファイル１１４は、モバイルデバイス１０６上にローカルに格納することができ、かつアプリケーションサーバ１０２に渡すことができない。決済アプリは、以下に限定されるものではないが、セッション識別子を符号化するコードを捕捉し、セッション識別子を回復するために捕捉コードを復号し、回復セッション識別子をサーバに送信し、回復セッション識別子に関連付けられた料金をサーバから受け取り、かつ料金を決済する承認をサーバに提供するという機能を含む様々な機能の実行を容易にすることができる。
【００３９】
上述したように、コードの一例は、ＱＲコード（登録商標）である。図２は、例示的なＱＲコード（登録商標）２００を示している。ＱＲコード（登録商標）は、２次元コードである。例示的実施形態は、Ａｚｔｅｃバーコード、ｃｏｄａｂｌｏｃｋ  Ｆコード、ｃｏｄｅ１６Ｋバーコード、ｃｏｄｅ４９バーコード、データマトリックスバーコード、マイクロＰＤＦ４１７バーコード、ＱＲコード（登録商標）、マイクロＱＲコード（登録商標）、又は何らかの他の２次元コードのような様々な２次元コードのいずれかを使用することができる。これに代えて、例示的実施形態は、各バーの幅のみがバーコードを復号するのに使用されるバーコードのような１次元コードを使用することができる。
【００４０】
次に、図３は、モバイルデバイス１０６の例示的実施形態を示すブロック図である。図３に示すように、モバイルデバイス１０６は、（ｉ）プロセッサ１５０、（ｉｉ）データを通信ネットワーク１１６に送信し、かつデータを通信ネットワーク１１６から受信するネットワークインタフェース１５２、（ｉｉｉ）ユーザインタフェース１５４、（ｉｖ）ＱＲコード（登録商標）のようなコードを捕捉するように構成されたカメラ（又は、他の捕捉デバイス）１５６、及び（ｖ）データストレージデバイス１５８を含み、これらの全ては、システムバス又は他の接続機構１６０を通じて互いにリンクすることができる。データストレージデバイス１５８は、コンピュータ可読プログラム命令（ＣＲＰＩ）１６２と、決済アプリ１６４と、ユーザプロファイル１１４とを含む。ＣＲＰＩ１６２は、決済アプリ１６４を含むことができる。データストレージデバイス１５８は、プロセッサ１５０によって可読な持続性コンピュータ可読ストレージ媒体を含むことができる。本明細書に説明する各コンピュータ可読ストレージ媒体は、光メモリ、磁気メモリ、有機メモリ、又は他のメモリ、又はディスクストレージのような揮発性及び／又は不揮発性ストレージ構成要素を含むことができ、この構成要素は、プロセッサと全部又は一部に関わらず一体化することができる。
【００４１】
本明細書に説明する各プロセッサは、１つ又はそれよりも多くの汎用プロセッサ（例えば、ＩＮＴＥＬシングルコアマイクロプロセッサ又はＩＮＴＥＬマルチコアマイクロプロセッサ）、又は１つ又はそれよりも多くの専用プロセッサ（例えば、デジタル信号プロセッサ）を含むことができる。プロセッサ１５０は、ＣＲＰＩ１６２及び決済アプリ１６４を実行するように構成される。
【００４２】
モバイルデバイス１０６は、セルラー電話、スマートフォン、タブレットデバイス、又はセルラー通信を実行するために配置された何らかの他のデバイスとして構成されるか又はそれを含むことができる。この点に関して、通信ネットワーク１１６は、第３世代パートナーシッププロジェクト（３ＧＰＰ）によって開発された４Ｇロングタームエボリューション（ＬＴＥ）規格又はセルラー通信ネットワークのために開発された何らかの他の通信規格に従って通信を実行するネットワークのようなセルラー通信ネットワークを含むことができる。
【００４３】
次に、図４は、アプリケーションサーバ１０２の例示的実施形態を示すブロック図である。図４に示すように、アプリケーションサーバ１０２は、（ｉ）プロセッサ１８２、（ｉｉ）通信ネットワーク１１６にデータを送信し、かつデータを通信ネットワーク１１６から受信するネットワークインタフェース１８４、（ｉｉｉ）ユーザインタフェース１８６、及び（ｉｖ）データストレージデバイス１８８を含むことができ、これらの全ては、システムバス又は他の接続機構１９０を通じて互いにリンクすることができる。データストレージデバイス１８８は、（ｉ）ＣＲＰＩ１９２及び（ｉｉ）モバイルデバイス１０６によってダウンロードされる決済アプリ１９４（決済アプリ１６４と同じとすることができる）を含むことができる。ＣＲＰＩ１９２は、決済アプリ１９４を含むことができる。データストレージデバイス１８８は、プロセッサ１８２によって可読な持続性コンピュータ可読ストレージ媒体を含むことができる。プロセッサ１８２は、ＣＲＰＩ１９２を実行するように構成される。
【００４４】
ＩＩＩ．例示的な作動
システム１００は、料金を決済するために使用することができる。以下の例では、駐車場料金を決済したいと思っているユーザに関連してシステム１００の例示的な使用を説明する。しかし、以下で更に説明するように、システム１００は、同様に他のタイプの料金を決済したいと思っているユーザに関連して使用することができる。
【００４５】
図５Ａ〜図５Ｃは、例示的実施形態による方法の１組の機能を示す流れ図を示している。この機能の組は、ブロック５０２〜５４８内に示している。それらのブロックの説明をここで続ける。
【００４６】
ブロック５０２では、本方法は、分配機端末１０４が、セッション識別子を符号化するコードが配置された媒体を分配する段階を伴うことができる。ブロック５０４では、本方法は、モバイルデバイス１０６が、媒体上に配置されたコードを捕捉する段階を伴うことができる。これは、モバイルデバイス１０６が、カメラ１５６及び決済アプリ１６４を使用してコードを捕捉する段階を伴うことができる。ブロック５０６では、本方法は、モバイルデバイス１０６が、セッション識別子を回復するために捕捉コードを復号する段階を伴うことができる。これは、モバイルデバイス１０６が、決済アプリ１６４を使用して捕捉コードを復号し、かつセッション識別子を回復する段階を伴うことができる。
【００４７】
一部の実施形態において、モバイルデバイス１０６は、捕捉コードが特定の特性を有すると決定することができ、これに応答して、モバイルデバイス１０６は、決済アプリ１６４のようなアプリケーションを自動的に起動することができる。一例では、特定の特性を有する捕捉コードは、特定の組のデータ（例えば、ストリング「ｌａｕｎｃｈ＿ｐａｙｍｅｎｔ＿ａｐｐ」）が符号化された捕捉コードを伴う場合がある。
【００４８】
ブロック５０８では、本方法は、モバイルデバイス１０６が、回復セッション識別子を通信ネットワーク１１６を通じてアプリケーションサーバ１０２に送信する段階を伴うことができる。ブロック５１０では、本方法は、アプリケーションサーバ１０２が、送信されたセッション識別子を通信ネットワーク１１６を通じてモバイルデバイス１０６から受信する段階を伴うことができる。
【００４９】
ブロック５１２では、本方法は、アプリケーションサーバ１０２が、受け取ったセッション識別子に関連付けられた料金を決定する段階を伴うことができ、料金は、少なくとも第１の時間と第１の時間の後である第２の時間との間の期間の関数である。
【００５０】
一般的に、第１の時間は、車両が駐車場に入る時間に近い。アプリケーションサーバ１０２は、様々な方法で第１の時間を決定することができる。例えば、分配機端末１０４は、第１の時間が、分配機端末１０４が媒体を分配する時間に存在すると決定することができる。その後に、分配機端末１０４は、第１の時間をセッション識別子と共にアプリケーションサーバ１０２に送信することができる。別の例では、アプリケーションサーバ１０２は、第１の時間が、アプリケーションサーバ１０２がセッション識別子を分配機端末１０４から受け取る時間に存在すると決定することができる。上述の２つの例のいずれでも、アプリケーションサーバ１０２は、受け取ったセッション識別子を受け取った第１の時間と共に駐車記録データベース１１２に格納することができる。従って、アプリケーションサーバ１０２が、受け取ったセッション識別子に関連付けられた料金を決定する行為は、アプリケーションサーバ１０２が、受け取ったセッション識別子を使用して対応する第１の時間を駐車記録データベース１１２から検索する段階を伴うことができる。
【００５１】
一般的に、第２の時間は、ドライバが料金を決済し、及び／又は駐車場を出る過程にある時間に近い。アプリケーションサーバ１０２は、様々な方法で第２の時間を決定することができる。例えば、モバイルデバイス１０６は、第２の時間が、モバイルデバイス１０６が（ｉ）コードを捕捉するか、（ｉｉ）セッション識別子を回復するために捕捉コードを復号するか、又は（ｉｉｉ）回復セッション識別子をアプリケーションサーバ１０２に送信する時間に存在すると決定することができる。その後に、モバイルデバイス１０６は、第２の時間をセッション識別子と共にアプリケーションサーバ１０２に送信することができる。別の例では、アプリケーションサーバ１０２は、第２の時間が、アプリケーションサーバ１０２がセッション識別子をモバイルデバイス１０６から受け取る時間に存在すると決定することができる。上述の２つの例のいずれでも、アプリケーションサーバ１０２は、受け取ったセッション識別子を受け取った第２の時間と共に駐車記録データベース１１２に格納することができる。従って、アプリケーションサーバ１０２が、受け取ったセッション識別子に関連付けられた料金を決定する行為は、アプリケーションサーバ１０２が、受け取ったセッション識別子を使用して対応する第２の時間を駐車記録データベース１１２から検索する段階を伴うことができる。
【００５２】
上述したように、料金は、少なくとも時間の関数とすることができる。従って、アプリケーションサーバ１０２は、ルックアップテーブル（例えば、アプリケーションサーバ１０２のデータストレージに格納されたもの）を使用して時間に基づいて料金を決定することができる。ルックアップテーブル内のデータは、例えば、駐車場の管理者によってユーザインタフェースを通じて設定することができる。
【００５３】
一部の事例では、料金は、更に、以下に限定されるものではないが、駐車場の位置、時間が該当する時刻、週、月、又は年、及びユーザプロファイルを含む他の要素の関数とすることができる。従って、一部の実施形態において、分配機端末１０４、モバイルデバイス１０６、及び／又は別のデバイスは、アプリケーションサーバ１０２がこのような要素を使用することによって料金を決定することができるように、このようなデータをアプリケーションサーバ１０２に提供することができる。
【００５４】
ブロック５１４では、本方法は、アプリケーションサーバ１０２が、決定料金を通信ネットワーク１１６を通じてモバイルデバイス１０６に送信する段階を伴うことができる。ブロック５１６では、本方法は、モバイルデバイス１０６が、送信された料金を受け取る段階を伴うことができる。
【００５５】
ブロック５１８では、本方法は、モバイルデバイス１０６が、受け取った料金を表示する段階を伴うことができる。図６は、ブロック５１８でのモバイルデバイス１０６のディスプレイの例示的なスクリーンショット６００を示している。図示のように、モバイルデバイス１０６は、決定料金を示すだけでなく、更に、第１の時間及び第２の時間を表示することができる。それによってユーザは、駐車セッションの料金の決済を承認する前に駐車セッションに関連する詳細を考慮することができる。
【００５６】
ユーザが料金の決済を承認したいと思う場合に、ユーザは、このような承認をモバイルデバイス１０６のユーザインタフェース１５４を通じて提供することができる。次に、ブロック５２０では、本方法は、モバイルデバイス１０６が、受け取った料金を決済する承認を通信ネットワーク１１６を通じてアプリケーションサーバ１０２に送信する段階を伴うことができる。モバイルデバイス１０６は、このような承認を送信するだけでなく、更に、決済データをアプリケーションサーバ１０２に送信することができる。決済データは、取りわけ、クレジットカード番号、デビットカード番号、カード所有者名、カード有効期限、カード検証コード、ＰＩＮ、及びカード所有者に関連付けられたメールコードのうちの少なくとも１つの少なくとも一部分を含むことができる。一例では、ユーザは、このような決済データをユーザインタフェース１５４を通じてモバイルデバイス１０６に提供することができる。
【００５７】
別の例では、モバイルデバイス１０６は、ユーザプロファイル識別子をアプリケーションサーバ１０２に送信することができ、アプリケーションサーバ１０２は、ユーザプロファイル識別子を使用して、ユーザに関連付けられた決済データ（例えば、ユーザプロファイル１１４に格納されたもの）を検索することができる。一部の事例では、アプリケーションサーバ１０２は、モバイルデバイス１０６が決済データオプションをユーザに表示することができるように、検索した決済データの少なくとも一部をモバイルデバイスに送信することができる。これは、ユーザが、決済データ（例えば、特定の決済手段）を表示されている決済データオプションの中から選択することを可能にすることができる。次に、モバイルデバイス１０６は、このような決済データを選択し、この選択をアプリケーションサーバ１０２に送信することができる。
【００５８】
ブロック５２２では、本方法は、アプリケーションサーバ１０２が決定料金を決済する承認を受け取るのに応答して、アプリケーションサーバ１０２が、料金トランザクションの詳細（例えば、駐車料金及び処理のための決済処理サーバ１１０への選択された決済手段に関連する詳細）を送信する段階を伴うことができる。
【００５９】
ブロック５２４では、本方法は、アプリケーションサーバ１０２が、料金が決済されたと決定する段階を伴うことができる。一部の例では、アプリケーションサーバ１０２は、決済処理サーバ１１０が決済ステータスインジケータ、例えば、成功又は不成功をアプリケーションサーバ１０２に送信する段階に基づいてこれを決定することができる。ブロック５２６では、本方法は、アプリケーションサーバ１０２が料金は決済されたと決定するのに応答して、アプリケーションサーバ１０２が、駐車記録データベース１１２内のセッション識別子のステータスを決済されたとして更新する段階を伴うことができる。更に、これに応答して、ブロック５２８では、本方法は、アプリケーションサーバ１０２が、料金が決済されたという表示をモバイルデバイス１０６に送信する段階を伴うことができる。ブロック５３０では、本方法は、モバイルデバイス１０６が、料金が決済されたという表示を受け取る段階を伴うことができる。かつこれに応答して、ブロック５３２では、本方法は、モバイルデバイス１０６が、料金が決済されたという表示を表示する段階を伴うことができる。
【００６０】
一部の事例では、更に、アプリケーションサーバ１０２が料金は決済されたと決定するのに応答して、アプリケーションサーバ１０２は、車両が駐車場を出なければならなくなるまで（例えば、追加の料金を生じる前に）どの程度の時間が残っているかを示す秒読みタイマを開始することができる。例えば、秒読みタイマは、開始された状態で１０分又は１５分で開始することができる。一例では、アプリケーションサーバ１０２はまた、モバイルデバイス１０６に秒読みタイマの値を動的に又はライブ方式で表示させるためにモバイルデバイス１０６と通信することができる。
【００６１】
特に、決済処理サーバ１１０が決済処理に成功しなかった場合に、アプリケーションサーバ１０２は、恐らくは代替決済データを選択した後にモバイルデバイス１０６が料金の決済を再承認することができるように相応にモバイルデバイス１０６に通知することができる。
【００６２】
決済が失敗せずに完了した状態で、車両のドライバは、駐車場を車両と共に出る許可を取得するためにコードを出庫端末１０８に提供することができる。一例では、ドライバは、コードが配置された媒体を出庫端末１０８に提供することによってこれを行うことができる。別の例では、モバイルデバイス１０６は、コードを表示するように構成することができ、従って、ドライバは、コードが表示されたモバイルデバイス１０６を出庫端末１０８に提供することができる。
【００６３】
ブロック５３４では、本方法は、出庫端末１０８がコードを捕捉する段階を伴うことができる。これは、出庫端末１０８が、カメラ及び決済アプリを使用してコードを捕捉する段階を伴うことができる。ブロック５３６では、本方法は、出庫端末１０８が、セッション識別子を回復するために捕捉コードを復号する段階を伴うことができる。これは、出庫端末１０８が、決済アプリを使用して捕捉コードを復号し、かつセッション識別子を回復する段階を伴うことができる。
【００６４】
ブロック５３８では、本方法は、出庫端末１０８が、回復セッション識別子をアプリケーションサーバ１０２に送信する段階を伴うことができる。ブロック５４０では、本方法は、アプリケーションサーバ１０２が、送信されたセッション識別子を受け取る段階を伴うことができる。
【００６５】
ブロック５４２では、本方法は、アプリケーションサーバ１０２が送信されたセッション識別子を受け取る段階に応答して、アプリケーションサーバ１０２が、受け取ったセッション識別子に関連付けられた料金が決済されたと決定する段階を伴うことができる。これは、アプリケーションサーバ１０２が、受け取ったセッション識別子を使用して駐車記録データベース１１２においてルックアップを実施し、セッション識別子の対応するステータスを検索する段階を伴うことができる。
【００６６】
ブロック５４４では、本方法は、アプリケーションサーバ１０２が、料金が決済されたという表示を出庫端末１０８に送信する段階を伴うことができる。ブロック５４６では、本方法は、出庫端末１０８が、料金が決済されたという表示を受け取る段階を伴うことができる。
【００６７】
ブロック５４８では、本方法は、出庫端末１０８が、料金が決済されたという表示を受け取る段階に応答して、出庫端末１０８が、アクションを実行させる段階を伴うことができる。代わりの例では、本方法は、（ｉ）出庫端末１０８が、料金が決済されたという表示を受け取り、かつ（ｉｉ）出庫端末１０８が、秒読みタイマが満了していないと決定する段階に応答して、出庫端末が、アクションを実行させる段階を伴う場合がある。アプリケーションサーバ１０２が、料金が決済されたと決定し、かつ秒読みタイマが満了した事象において、アプリケーションサーバ１０２は、追加の料金を決定してモバイルデバイス１０６に送信することができ、モバイルデバイス１０６は、元の料金に関連して上述したものと同様の方式でその料金の決済を承認することができる。
【００６８】
一例では、出庫端末１０８がアクションを実行させる段階は、出庫端末１０８が、アクセス制御デバイスを移動させる段階を伴うことができる。例えば、アクセス制御デバイスがブームの形態を取る場合に、出庫端末１０８は、ブームを上げさせて、それによって車両が駐車場を出ることを許すことができる。しかし、出庫端末１０８は、他のアクションを実行させることができる。例えば、出庫端末１０８は、タイヤスパイクを引っ込ませて、それによって車両が駐車場を出ることを許すことができる。
【００６９】
ＩＶ．例示的実施形態の変形及び利益
明らかに、本発明の開示の範囲から逸脱することなく多くの変形及び置換が実施形態に対して可能である。これらの変形及び置換の一部を以下に説明する。
【００７０】
１．開示する実施形態の１つ又はそれよりも多くにより、ユーザプロファイル１１４は、モバイルデバイス１０６上及びアプリケーションサーバ１０２上に格納することができる。この実施形態において、モバイルデバイス１０６上の捕捉アプリ１６４は、ユーザプロファイル１１４の変更をユーザ指令の下で変更が発生した時に又は定期的に又は明示的にアプリケーションサーバ１０２上のプロファイルのコピーと同期させることができる。その後に、アプリケーションサーバ１０２上のユーザプロファイルのコピーは、例えば、ユーザがモバイルデバイスを変える時に又はユーザがモバイルデバイス１０６を紛失したか又は損傷させた場合に異なるモバイルデバイス１０６にインポートすることができる。
【００７１】
２．開示する実施形態の１つ又はそれよりも多くにより、システム１００のセキュリティを改善するために、本明細書に説明するデータのあらゆる送信を暗号化することができる。
【００７２】
３．開示する実施形態の１つ又はそれよりも多くにより、アプリケーションサーバ１０２が、処理のために金融トランザクションの詳細（例えば、料金及び決済の詳細）を決済処理サーバ１１０に送る代わりに、アプリケーションサーバ１０２は、決済自体を処理することができる。
【００７３】
４．少なくとも一例示的実施形態により、ユーザプロファイル１１４を確立してコードを捕捉した後に、料金の決済を達成するのに要求される唯一のユーザアクションは、決済手段をユーザプロファイル１１４に関連付けられた決済データから選択するか、又は他の方法で決済手段に関する情報に入力することである。
【００７４】
５．例示的実施形態に説明するように、ＱＲコード（登録商標）のようなコードの使用は、駐車場料金の決済を公知の従来技術方法によって可能であるよりも効率的に行うことを可能にすることができる。一例では、ユーザがユーザプロファイル１１４を確立した状態で、ユーザは、駐車場料金の決済を達成するために、モバイルデバイス１０６により、媒体上に配置されたコードを捕捉しなければならないだけである。ユーザは、駐車場内で決済端末を見つけなければならないこと、決済端末を使用するために並んで待たなければならないこと、及び決済のための現金又はクレジット又はデビットカードのような物理的決済手段を差し出すことの手間から解放される。更に、ユーザは、決済端末が故障又はつり銭切れという危険性に直面しない。更に、ユーザは、追加決済なしに駐車場を出るための範囲内で秒読みタイマの満了前にどの程度の時間が残っているかという明確な表示を用いて、駐車場内のユーザの車両に戻る直前に又はこれに代えてユーザの車両内に安全に座っている時に駐車料金を決済することができる。駐車場料金を決済する開示するシステム及び方法により、このような決済の手間が低減されることになることが予想される。
【００７５】
６．例示的実施形態の１つ又はそれよりも多くにより、アプリケーションサーバ１０２は、出庫端末１０８が、ドライバが駐車場を出るためのコード又はコードを有する媒体を受け取る前に、セッション識別子、料金が決済されたという表示、及びセッション識別子の料金決済に関連付けられた秒読みタイマを識別するデータを出庫端末１０８に提供することができる。それらの品目をこのように出庫端末１０８に提供することは、出庫端末１０８が、駐車セッションに対する決済の成功及びコード又は媒体の時機を得た呈示をより迅速に確認することを可能にすることができる。
【００７６】
７．上述したように、システム１００の例示的な用途は、ユーザが駐車場料金を決済することを可能にする。しかし、システム１００は、同様に他のタイプの料金を決済したいと思っているユーザに関連して使用することができる。例えば、システムは、ユーザが有料道路に関連付けられた旅行セッションの料金を決済することを可能にすることができる。この例では、料金が少なくとも第１の時間と第２の時間の間の時間の関数であるよりはむしろ、料金は、少なくとも第１の位置（例えば、分配機端末が位置付けられた）と第２の位置（例えば、出庫端末が位置付けられた）との間の距離の関数とすることができる。このような事例では、アプリケーションサーバ１０２は、分配機端末１０４の位置、出庫端末１０８の位置、及び／又はモバイルデバイス１０６の位置に基づいて第１及び／又は第２の位置を決定することができ、端末及びモバイルデバイスのいずれも、料金を決定する際の使用のためにこのような位置をアプリケーションサーバ１０２に送信することができる。
【００７７】
Ｖ．追加の例示的実施形態
以下の例は、開示する本発明の更なる説明として提供するものである。
１．モバイルデバイス（１０６）が、媒体上に配置されて識別子を符号化するコードを捕捉する段階と、モバイルデバイス（１０６）が、識別子を回復するために捕捉したコードを復号する段階と、モバイルデバイス（１０６）が、通信ネットワーク（１１６）を通じて回復識別子をサーバ（１０２）に送信する段階と、モバイルデバイス（１０６）が、少なくとも第１の時間と第１の時間の後である第２の時間との間の期間の関数であって送信された識別子に関連付けられた料金を通信ネットワーク（１１６）を通じてサーバ（１０２）から受け取る段階と、モバイルデバイス（１０６）が、受け取った料金を決済する承認を送信する段階とを含む方法。（図１、３、４、及び５Ａ−５Ｃ）
２．媒体は、紙券を含む例１の方法。（図１、３、４、及び５Ａ−５Ｃ）
３．コードは、１次元コードを含む例１又は例２の方法。（図１、３、４、及び５Ａ−５Ｃ）
４．コードは、２次元マトリックスコードを含む例１から例３のいずれか１例の方法。（図１、３、４、及び５Ａ−５Ｃ）
５．コードは、「クイックレスポンス（ＱＲ）」コード（２００）を含む例４の方法。（図１、２−４、及び５Ａ−５Ｃ）
６．識別子は、駐車場に関連付けられた駐車セッションの固有の識別子を含み、料金は、駐車セッションに対する料金を含む例１から例５のいずれか１例の方法。（図１、３、４、及び５Ａ−５Ｃ）
７．モバイルデバイス（１０６）がコードを捕捉する段階は、モバイルデバイス（１０６）のカメラ（１５６）がコードを捕捉する段階を含む例１から例６のいずれか１例の方法。（図１、３、４、及び５Ａ−５Ｃ）
８．モバイルデバイス（１０６）がコードを捕捉する段階は、モバイルデバイス（１０６）がコードを走査する段階を含む例１から例７のいずれか１例の方法。（図１、３、４、及び５Ａ−５Ｃ）
９．通信ネットワーク（１１６）は、ローカルエリアネットワークを含む例１から例８のいずれか１例の方法。（図１、３、４、及び５Ａ−５Ｃ）
１０．通信ネットワーク（１１６）は、ワイドエリアネットワークを含む例１から例９のいずれか１例の方法。（図１、３、４、及び５Ａ−５Ｃ）
１１．ワイドエリアネットワークは、「ワールドワイドウェブ」を含む例１０の方法。（図１、３、４、及び５Ａ−５Ｃ）
１２．ワイドエリアネットワークは、「インターネット」を含む例１０の方法。（図１、３、４、及び５Ａ−５Ｃ）
１３．コードは、更に、第１の時間を符号化し、方法が、モバイルデバイス（１０６）が、第１の時間を回復するためにコードを復号する段階と、モバイルデバイス（１０６）が、通信ネットワーク（１１６）を通じて第１の時間をサーバ（１０２）に送信する段階とを更に含む例１から例１２のいずれか１例の方法。（図１、３、４、及び５Ａ−５Ｃ）
１４．第１の時間は、媒体が分配機端末（１０４）から分配された時間に近い例１から例１３のいずれか１例の方法。（図１、３、４、及び５Ａ−５Ｃ）
１５．第２の時間は、モバイルデバイス（１０６）が通信ネットワーク（１１６）を通じて回復識別子をサーバ（１０２）に送信する時間に近い例１から例１４のいずれか１例の方法。（図１、３、４、及び５Ａ−５Ｃ）
１６．モバイルデバイス（１０６）が、受け取った料金を表示する段階を更に含む例１から例１５のいずれか１例の方法。（図１、３、４、５Ａ−５Ｃ、及び６）
１７．モバイルデバイス（１０６）が、受け取った料金の決済を容易にする決済データを通信ネットワーク（１１６）を通じてサーバに（１０２）に送信する段階を更に含む例１から例１６のいずれか１例の方法。（図１、３、４、及び５Ａ−５Ｃ）
１８．識別子は、第１の識別子であり、方法が、モバイルデバイス（１０６）が、通信ネットワーク（１１６）を通じて第２の識別子をサーバ（１０２）に送信する段階と、モバイルデバイス（１０６）が、第２の識別子に関連付けられて受け取った料金の決済を容易にする決済データを選択する段階とを更に含む例１から例１６のいずれか１例の方法。（図１、３、４、及び５Ａ−５Ｃ）
１９．決済データは、クレジットカード番号、デビットカード番号、カード所有者名、カード有効期限、カード検証コード、個人識別番号、及びカード所有者に関連付けられたメールコードのうちの少なくとも１つの少なくとも一部分を含む例１７又は例１８の方法。（図１、３、４、及び５Ａ−５Ｃ）
２０．モバイルデバイス（１０６）が、料金が決済されたという表示をサーバ（１０２）から受け取る段階と、料金が決済されたという表示をモバイルデバイス（１０６）が受け取る段階に応答して、モバイルデバイス（１０６）が、料金が決済されたという表示を表示する段階とを更に含む例１から例１９のいずれか１例の方法。（図１、３、４、及び５Ａ−５Ｃ）
２１．媒体上に表示されたコードを出庫端末に提供する段階を更に含む例１から例２０のいずれか１例の方法。（図１、３、４、及び５Ａ−５Ｃ）
２２．モバイルデバイス（１０６）が、捕捉コードを表示する段階と、媒体上に表示されたコードを捕捉デバイスに提供する段階とを更に含む例１から例２１のいずれか１例の方法。（図１、３、４、及び５Ａ−５Ｃ）
２３．モバイルデバイス（１０６）が、捕捉コードが特定の特性を有すると決定する段階と、モバイルデバイス（１０６）が、捕捉コードが特定の特性を有すると決定する段階に応答して、モバイルデバイス（１０６）が、受け取った料金の決済を容易にするアプリケーションを起動する段階とを更に含む例１から例２１のいずれか１例の方法。（図１、３、４、及び５Ａ−５Ｃ）
２４．例１から例２３のいずれか１例の機能を実行するように構成されたモバイルデバイス（１０６）。（図１、３、４、及び５Ａ−５Ｃ）
２５．プロセッサ（１５０）によって実行された時に例１から例２３のいずれか１例の機能の実行を引き起こすプログラム命令（１６２）が格納された持続性コンピュータ可読媒体。（図１、３、４、及び５Ａ−５Ｃ）
２６．サーバ（１０２）が、通信ネットワーク（１１６）を通じて識別子をモバイルデバイス（１０６）から受け取る段階と、サーバ（１０２）が識別子を受け取る段階に応答して、サーバ（１０２）が、少なくとも第１の時間と第２の時間の間の期間の関数であって識別子に関連付けられた料金を決定する段階と、サーバ（１０２）が、決定料金を通信ネットワーク（１１６）を通じてモバイルデバイス（１０６）に送信する段階と、サーバ（１０２）が、決定料金を決済する承認を通信ネットワーク（１１６）を通じてモバイルデバイス（１０６）から受け取る段階と、サーバ（１０２）が、決定料金が決済されたと決定する段階と、サーバ（１０２）が、決定料金が決済されたと決定する段階に応答して、サーバ（１０２）が、決定料金が決済されたという表示を送信する段階とを含む方法。（図１、３、４、及び５Ａ−５Ｃ）
２７．識別子は、駐車場に関連付けられた駐車セッションの固有の識別子を含み、料金は、駐車セッションに対する料金を含む例２６の方法。（図１、３、４、及び５Ａ−５Ｃ）
２８．通信ネットワーク（１１６）は、ローカルエリアネットワークを含む例２６又は例２７の方法。（図１、３、４、及び５Ａ−５Ｃ）
２９．通信ネットワーク（１１６）は、ワイドエリアネットワークを含む例２６から例２８のいずれか１例の方法。（図１、３、４、及び５Ａ−５Ｃ）
３０．ワイドエリアネットワークは、「ワールドワイドウェブ」を含む例２９の方法。（図１、３、４、及び５Ａ−５Ｃ）
３１．ワイドエリアネットワークは、「インターネット」を含む例２９の方法。（図１、３、４、及び５Ａ−５Ｃ）
３２．サーバ（１０２）が、通信ネットワーク（１１６）を通じて第１の時間をモバイルデバイス（１０６）から受け取る段階を更に含む例２６から例３１のいずれか１例の方法。（図１、３、４、及び５Ａ−５Ｃ）
３３．第１の時間は、媒体が分配デバイスから分配された時間に近く、コードが、媒体上に配置されており、コードは、識別子を符号化する例２６から例３２のいずれか１例の方法。（図１、３、４、及び５Ａ−５Ｃ）
３４．サーバ（１０２）が、第１の時間を分配機端末から受け取る段階を更に含む例３３の方法。（図１、３、４、及び５Ａ−５Ｃ）
３５．第２の時間は、サーバ（１０２）が通信ネットワーク（１１６）を通じて識別子をモバイルデバイス（１０６）から受け取る時間に近い例２６から例３４のいずれか１例の方法。（図１、３、４、及び５Ａ−５Ｃ）
３６．サーバ（１０２）が、決定料金の決済を容易にする決済データを通信ネットワーク（１１６）を通じてモバイルデバイス（１０６）から受け取る段階と、サーバ（１０２）が、決済データを使用して決定料金を決済させる段階とを更に含む例２６から例３５のいずれか１例の方法。（図１、３、４、及び５Ａ−５Ｃ）
３７．識別子は、第１の識別子であり、方法が、サーバ（１０２）が、通信ネットワーク（１１６）を通じて第２の識別子をモバイルデバイス（１０６）から受け取る段階と、サーバ（１０２）が、第２の識別子に関連付けられた決済データを使用して決定料金を決済させる段階とを更に含む例２６から例３５のいずれか１例の方法。（図１、３、４、及び５Ａ−５Ｃ）
３８．サーバ（１０２）が、料金が決済されたという表示を通信ネットワーク（１１６）を通じてモバイルデバイス（１０６）に送信する段階を更に含む例２６から例３７のいずれか１例の方法。（図１、３、４、及び５Ａ−５Ｃ）
３９．サーバ（１０２）が、料金が決済されたという表示を出庫端末（１０８）に送信する段階を更に含み、出庫端末（１０８）は、（ｉ）料金が決済されたという表示をサーバ（１０２）から受け取り、かつ（ｉｉ）料金が決済されたという表示をサーバ（１０２）から受け取ることに応答してアクションを実行させるように構成される例２６から例３８のいずれか１例の方法。（図１、３、４、及び５Ａ−５Ｃ）
４０．アクションを実行させることは、アクションを実行させて車両が駐車場を出ることを許すことを含む例３９の方法。（図１、３、４、及び５Ａ−５Ｃ）
４１．アクションを実行させることは、駐車場内のアクセス制御デバイスを移動させることを含む例４０の方法。（図１、３、４、及び５Ａ−５Ｃ）
４２．例２４から例４１のいずれか１例の機能を実行するように構成されたサーバ（１０２）。（図１、３、４、及び５Ａ−５Ｃ）
４３．プロセッサ（１８２）によって実行された時に例２４から例４１のいずれか１例の機能の実行を引き起こすプログラム命令（１９２）が格納された持続性コンピュータ可読媒体。（図１、３、４、及び５Ａ−５Ｃ）
４４．モバイルデバイス（１０６）が、媒体上に配置されて識別子を符号化するコードを捕捉する段階と、モバイルデバイス（１０６）が、識別子を回復するために捕捉したコードを復号する段階と、モバイルデバイス（１０６）が、通信ネットワーク（１１６）を通じて回復識別子をサーバ（１０２）に送信する段階と、モバイルデバイス（１０６）が、少なくとも第１の位置と第１の位置とは異なる第２の位置との間の距離の関数であって送信された識別子に関連付けられた料金を通信ネットワーク（１１６）を通じてサーバ（１０２）から受け取る段階と、モバイルデバイス（１０６）が、受け取った料金を決済する承認を送信する段階とを含む方法。（図１、３、４、及び５Ａ−５Ｃ）
４５．媒体は、紙券を含む例４４の方法。（図１、３、４、及び５Ａ−５Ｃ）
４６．コードは、１次元コードを含む例４４又は例４５の方法。（図１、３、４、及び５Ａ−５Ｃ）
４７．コードは、２次元マトリックスコードを含む例４４から例４６のいずれか１例の方法。（図１、３、４、及び５Ａ−５Ｃ）
４８．コードは、「クイックレスポンス（ＱＲ）」コード（２００）を含む例４７の方法。（図１、３、４、及び５Ａ−５Ｃ）
４９．識別子は、有料道路に関連付けられた旅行セッションの固有の識別子を含み、料金は、旅行セッションに対する料金を含む例４４から例４８のいずれか１例の方法。（図１、３、４、及び５Ａ−５Ｃ）
５０．モバイルデバイス（１０６）がコードを捕捉する段階は、モバイルデバイス（１０６）のカメラ（１５６）がコードを捕捉する段階を含む例４４から例４９のいずれか１例の方法。（図１、３、４、及び５Ａ−５Ｃ）
５１．モバイルデバイス（１０６）がコードを捕捉する段階は、モバイルデバイス（１０６）がコードを走査する段階を含む例４４から例５０のいずれか１例の方法。（図１、３、４、及び５Ａ−５Ｃ）
５２．通信ネットワーク（１１６）は、ローカルエリアネットワークを含む例４４から例５１のいずれか１例の方法。（図１、３、４、及び５Ａ−５Ｃ）
５３．通信ネットワーク（１１６）は、ワイドエリアネットワークを含む例４４から例５２のいずれか１例の方法。（図１、３、４、及び５Ａ−５Ｃ）
５４．ワイドエリアネットワークは、「ワールドワイドウェブ」を含む例５３の方法。（図１、３、４、及び５Ａ−５Ｃ）
５５．ワイドエリアネットワークは、「インターネット」を含む例５３の方法。（図１、３、４、及び５Ａ−５Ｃ）
５６．コードは、更に、第１の位置を符号化し、方法が、モバイルデバイス（１０６）が、第１の位置を回復するためにコードを復号する段階と、モバイルデバイス（１０６）が、通信ネットワーク（１１６）を通じて第１の位置をサーバ（１０２）に送信する段階とを更に含む例４４から例５５のいずれか１例の方法。（図１、３、４、及び５Ａ−５Ｃ）
５７．第１の位置は、媒体が分配機端末（１０４）から分配された時の位置に近い例４４から例５６のいずれか１例の方法。（図１、３、４、及び５Ａ−５Ｃ）
５８．第２の位置は、モバイルデバイス（１０６）が通信ネットワーク（１１６）を通じて回復識別子をサーバ（１０２）に送信する時の位置に近い例４４から例５７のいずれか１例の方法。（図１、３、４、及び５Ａ−５Ｃ）
５９．モバイルデバイス（１０６）が、受け取った料金を表示する段階を更に含む例４４から例５８のいずれか１例の方法。（図１、３、４、５Ａ−５Ｃ、及び６）
６０．モバイルデバイス（１０６）が、受け取った料金の決済を容易にする決済データを通信ネットワーク（１１６）を通じてサーバに（１０２）に送信する段階を更に含む例４４ら例５９のいずれか１例の方法。（図１、３、４、及び５Ａ−５Ｃ）
６１．識別子は、第１の識別子であり、方法が、モバイルデバイス（１０６）が、通信ネットワーク（１１６）を通じて第２の識別子をサーバ（１０２）に送信する段階と、モバイルデバイス（１０６）が、第２の識別子に関連付けられて受け取った料金の決済を容易にする決済データを選択する段階とを更に含む例４４から例５９のいずれか１例の方法。（図１、３、４、及び５Ａ−５Ｃ）
６２．決済データは、クレジットカード番号、デビットカード番号、カード所有者名、カード有効期限、カード検証コード、個人識別番号、及びカード所有者に関連付けられたメールコードのうちの少なくとも１つの少なくとも一部分を含む例６０又は例６１の方法。（図１、３、４、及び５Ａ−５Ｃ）
６３．モバイルデバイス（１０６）が、料金が決済されたという表示をサーバ（１０２）から受け取る段階と、料金が決済されたという表示をモバイルデバイス（１０６）が受け取る段階に応答して、モバイルデバイス（１０６）が、料金が決済されたという表示を表示する段階とを更に含む例４４から例６２のいずれか１例の方法。（図１、３、４、及び５Ａ−５Ｃ）
６４．媒体上に表示されたコードを出庫端末に提供する段階を更に含む例４４から例６３のいずれか１例の方法。（図１、３、４、及び５Ａ−５Ｃ）
６５．モバイルデバイス（１０６）が、捕捉コードを表示する段階と、媒体上に表示されたコードを捕捉デバイスに提供する段階とを更に含む例４４から例６４のいずれか１例の方法。（図１、３、４、及び５Ａ−５Ｃ）
６６．モバイルデバイス（１０６）が、捕捉コードが特定の特性を有すると決定する段階と、モバイルデバイス（１０６）が、捕捉コードが特定の特性を有すると決定する段階に応答して、モバイルデバイス（１０６）が、受け取った料金の決済を容易にするアプリケーションを起動する段階とを更に含む例４４から例６５のいずれか１例の方法。（図１、３、４、及び５Ａ−５Ｃ）
６７．例４４から例６６のいずれか１例の機能を実行するように構成されたモバイルデバイス（１０６）。（図１、３、４、及び５Ａ−５Ｃ）
６８．プロセッサ（１５０）によって実行された時に例１から例２３のいずれか１例の機能の実行を引き起こすプログラム命令（１６２）が格納された持続性コンピュータ可読媒体。（図１、３、４、及び５Ａ−５Ｃ）
６９．サーバ（１０２）が、通信ネットワーク（１１６）を通じて識別子をモバイルデバイス（１０６）から受け取る段階と、サーバ（１０２）が識別子を受け取る段階に応答して、サーバ（１０２）が、少なくとも第１の位置と第１の位置とは異なる第２の位置との間の距離の関数であって識別子に関連付けられた料金を決定する段階と、サーバ（１０２）が、決定料金を通信ネットワーク（１１６）を通じてモバイルデバイス（１０６）に送信する段階と、サーバ（１０２）が、決定料金を決済する承認を通信ネットワーク（１１６）を通じてモバイルデバイス（１０６）から受け取る段階と、サーバ（１０２）が、決定料金が決済されたと決定する段階と、サーバ（１０２）が、決定料金が決済されたと決定する段階に応答して、サーバ（１０２）が、決定料金が決済されたという表示を送信する段階とを含む方法。（図１、３、４、及び５Ａ−５Ｃ）
７０．識別子は、有料道路に関連付けられた旅行セッションの固有の識別子を含み、料金は、旅行セッションに対する料金を含む例６９の方法。（図１、３、４、及び５Ａ−５Ｃ）
７１．通信ネットワーク（１１６）は、ローカルエリアネットワークを含む例６９又は例７０の方法。（図１、３、４、及び５Ａ−５Ｃ）
７２．通信ネットワーク（１１６）は、ワイドエリアネットワークを含む例６９から例７１のいずれか１例の方法。（図１、３、４、及び５Ａ−５Ｃ）
７３．ワイドエリアネットワークは、「ワールドワイドウェブ」を含む例７２の方法。（図１、３、４、及び５Ａ−５Ｃ）
７４．ワイドエリアネットワークは、「インターネット」を含む例７２の方法。（図１、３、４、及び５Ａ−５Ｃ）
７５．サーバ（１０２）が、通信ネットワーク（１１６）を通じて第１の位置をモバイルデバイス（１０６）から受け取る段階を更に含む例６９から例７４のいずれか１例の方法。（図１、３、４、及び５Ａ−５Ｃ）
７６．第１の位置は、媒体が分配デバイスから分配された時の位置に近く、コードが、媒体上に配置されており、コードは、識別子を符号化する例６９から例７５のいずれか１例の方法。（図１、３、４、及び５Ａ−５Ｃ）
７７．サーバ（１０２）が、第１の位置を分配機端末から受け取る段階を更に含む例７６の方法。（図１、３、４、及び５Ａ−５Ｃ）
７８．サーバ（１０２）が、決定料金の決済を容易にする決済データを通信ネットワーク（１１６）を通じてモバイルデバイス（１０６）から受け取る段階と、サーバ（１０２）が、決済データを使用して決定料金を決済させる段階とを更に含む例６９から例７６のいずれか１例の方法。（図１、３、４、及び５Ａ−５Ｃ）
７９．識別子は、第１の識別子であり、方法が、サーバ（１０２）が、通信ネットワーク（１１６）を通じて第２の識別子をモバイルデバイス（１０６）から受け取る段階と、サーバ（１０２）が、第２の識別子に関連付けられた決済データを使用して決定料金を決済させる段階とを更に含む例６９から例７８のいずれか１例の方法。（図１、３、４、及び５Ａ−５Ｃ）
８０．サーバ（１０２）が、料金が決済されたという表示を通信ネットワーク（１１６）を通じてモバイルデバイス（１０６）に送信する段階を更に含む例６９から例７９のいずれか１例の方法。（図１、３、４、及び５Ａ−５Ｃ）
８１．サーバ（１０２）が、料金が決済されたという表示を出庫端末（１０８）に送信する段階を更に含み、出庫端末（１０８）は、（ｉ）料金が決済されたという表示をサーバ（１０２）から受け取り、かつ（ｉｉ）料金が決済されたという表示をサーバ（１０２）から受け取ることに応答してアクションを実行させるように構成される例６９から例８０のいずれか１例の方法。（図１、３、４、及び５Ａ−５Ｃ）
８２．アクションを実行させることは、アクションを実行させて車両が料金所を出ることを許すことを含む例８１の方法。（図１、３、４、及び５Ａ−５Ｃ）
８３．アクションを実行させることは、料金所内のアクセス制御デバイスを移動させることを含む例８２の方法。（図１、３、４、及び５Ａ−５Ｃ）
８４．例６９から例８３のいずれか１例の機能を実行するように構成されたサーバ（１０２）。（図１、３、４、及び５Ａ−５Ｃ）
８５．プロセッサ（１８２）によって実行された時に例６９から例８３のいずれか１例の機能の実行を引き起こすプログラム命令（１９２）が格納された持続性コンピュータ可読媒体。（図１、３、４、及び５Ａ−５Ｃ）
８６．モバイルデバイス（１０６）であって、プロセッサ（１５０）と、コードを捕捉するように構成された捕捉デバイス（１５６）と、モバイルデバイス（１０６）とサーバ（１０２）の間の通信を容易にするように構成されたネットワークインタフェース（１５２）と、プロセッサ（１５０）によって実行された時に例１から例２３又は例４４から例６６のいずれか１例の機能の実行を引き起こすプログラム命令（１６２）が格納された持続性コンピュータ可読媒体とを含むモバイルデバイス（１０６）。（図１、３、４、及び５Ａ−５Ｃ）
８７．サーバ（１０２）であって、プロセッサ（１５０）と、サーバ（１０２）と別のデバイスの間の通信を容易にするように構成されたネットワークインタフェース（１８４）と、プロセッサ（１８２）によって実行された時に例２６から例４１又は例６９から例８３のいずれか１例の機能の実行を引き起こすプログラム命令（１９２）が格納された持続性コンピュータ可読媒体とを含むサーバ（１０２）。（図１、３、４、及び５Ａ−５Ｃ）
【００７８】
ＶＩ．結論
例示的実施形態を以上説明した。当業者は、特許請求の範囲によって定められる本発明の真の範囲及び精神から逸脱することなく変形及び修正を説明した実施形態に対して行うことができることを理解するであろう。
【００７９】
この詳細説明は、添付図面を参照して開示するシステム、デバイス、及び方法の様々な特徴及び機能を説明するものである。図では、文脈で特に断らない限り、類似の記号は、典型的には、類似の構成要素を識別する。詳細説明、図、及び特許請求の範囲に説明する例示的実施形態は、制限的であるように意図していない。他の実施形態を使用することができ、本明細書に示す主題の精神又は範囲から逸脱することなく他の変更を行うことができる。本明細書で全体的に説明して図に示すように、本発明の開示の態様は、広範な異なる構成に配置、置換、結合、分離、及び設計することができ、構成の全てが本明細書で明示的に考えられていることは容易に理解されるであろう。
【００８０】
図中のメッセージ流れ図、シナリオ、及び流れ図表の一部又は全部に関して、及び本明細書に説明するように、各段階、ブロック、及び／又は通信は、例示的実施形態に従って情報の処理及び／又は情報の送信を表すことができる。代替実施形態は、これらの例示的実施形態の範囲に含まれる。これらの代替実施形態において、例えば、段階、ブロック、送信、通信、要求、応答、及び／又はメッセージとして説明する機能は、関わっている機能性に応じて実質的に同時又は逆の順を含むことを図示するか又は説明するものに対して順不同で実行することができる。更に、より多くの又はより少ない段階、ブロック、及び／又は機能を本明細書に説明するメッセージ流れ図、シナリオ、及び流れ図表のいずれかと共に使用することができ、これらのメッセージ流れ図、シナリオ、及び流れ図表は、一部又は全部に関わらず、互いに組み合わせることができる。
【００８１】
情報の処理を表す段階又はブロックは、本明細書に説明する方法又は技術の特定の論理関数を実行するように構成することができる回路に対応することができる。これに代えて又はこれに加えて、情報の処理を表す段階又はブロックは、モジュール、セグメント、又は（関連データを含む）プログラムコードの一部に対応することができる。プログラムコードは、方法又は技術における特定の論理関数又はアクションを実行するプロセッサによって実行可能な１つ又はそれよりも多くの命令を含むことができる。プログラムコード及び／又は関連データは、ディスク又はハードドライブ又は他のストレージ媒体を含むストレージデバイスのようなあらゆるタイプのコンピュータ可読媒体上に格納することができる。
【００８２】
コンピュータ可読媒体は、レジスタメモリ、プロセッサキャッシュ、及び／又はランダムアクセスメモリ（ＲＡＭ）のようなデータを短期間にわたって格納するコンピュータ可読媒体のような持続性コンピュータ可読媒体を含むことができる。コンピュータ可読媒体は、例えば、読取専用メモリ（ＲＯＭ）、光又は磁気ディスク、及び／又はコンパクトディスク読取専用メモリ（ＣＤ−ＲＯＭ）のような２次的又は持続的長期ストレージのようなより長い期間にわたってプログラムコード及び／又はデータを格納する持続性コンピュータ可読媒体を含むことができる。コンピュータ可読媒体は、あらゆる他の揮発性又は不揮発性ストレージシステムとすることができる。コンピュータ可読媒体は、例えば、コンピュータ可読ストレージ媒体又は有形ストレージデバイスと見なすことができる。データストレージデバイスに格納されているか又はデータストレージデバイス内のストレージのためにデバイスに送信されているとして識別されるあらゆるデータは、搬送波に具現化されたコンピュータデータ信号を含むことができる。
【００８３】
更に、１つ又はそれよりも多くの情報伝送を表す段階又はブロックは、同じ物理デバイス内のソフトウエアモジュール及び／又はハードウエアモジュール間の情報伝送に対応することができる。しかし、他の情報送信も、異なる物理デバイス内のソフトウエアモジュール及び／又はハードウエアモジュール間に存在することができる。
【００８４】
様々な態様及び実施形態を本明細書に開示したが、他の態様及び実施形態も当業者に明らかであろう。本明細書に開示した様々な態様及び実施形態は、例示を目的としており、制限を意図していない。
【符号の説明】
【００８５】
１００  料金を決済するためのシステム
１０４  分配機端末
１０６  モバイルデバイス
１０８  出庫端末
１１６  通信ネットワーク
【図１】
2016503535.tif 000003
【図２】
2016503535.tif 000004
【図３】
2016503535.tif 000005
【図４】
2016503535.tif 000006
【図５Ａ】
2016503535.tif 000007
【図５Ｂ】
2016503535.tif 000008
【図５Ｃ】
2016503535.tif 000009
【図６】
2016503535.tif 000010
【国際調査報告】
2016503535.tif 000011
2016503535.tif 000012